(57)【要約】【課題】用紙の走行方向に幅があるインクノズルを用いたオンデマンド型のインクジェットにて高精度で高速印刷できるようにする。【解決手段】インクジェット２を、これのインクノズル２ａがガイドローラ３に巻付き接触する用紙４のガイドローラに巻付き接触する直前あるいは直後の少なくとも一方の直線状走行面に対向するように配置する。上記インクジェットヘッドのインクノズル２ａの幅方向の一端を、ガイドローラ３に対する用紙４の巻付き開始点あるいは巻付き終了点に位置させる。【選択図】図１
2005035209.tif 000002
【特許請求の範囲】
【請求項１】
複数のガイドローラに所定の張力を有してアーチ状に案内される用紙にインクジェットヘッドにて印刷するようにしたインクジェット記録装置において、
上記インクジェットヘッドに、複数のノズル列を用紙の走行方向に所定の幅内に並べてなるオンデマンド型のインクジェットヘッドを用い、このインクジェットヘッドを、これのインクノズルがガイドローラに巻付き接触する用紙のガイドローラに巻付き接触する直前あるいは直後の少なくとも一方の直線状走行面に対向するようにして配置した
ことを特徴とするインクジェット記録装置。
【請求項２】
インクジェットヘッドのインクノズルの幅方向の一端を、ガイドローラに対する用紙の巻付き開始点あるいは巻付き終了点に位置させたことを特徴とする請求項１記載のインクジェット記録装置。
【発明の詳細な説明】
【技術分野】
【０００１】
本発明は、インクの噴射により用紙上に印刷（印字）を行うインクジェットヘッドで、特に、用紙の幅方向に多数のインクノズルを配置してなるノズル列を用紙の走行方向に複数列備えて用紙の走行方向に幅を有するオンデマンド型のインクジェットヘッドを用いたインクジェット記録装置に関するものである。
【背景技術】
【０００２】
インクジェット記録装置にあっては、インクジェットヘッドと用紙面（印刷面）との間隙を一定に保つことは、印刷品質を良好にするための重要な要素である。連続方式のインクジェットヘッドのように、インクノズルが用紙の走行方向に対して直角方向に１列に並んでいる１つのインクノズルを有するものを用いる場合にはローラに用紙が巻付いた状態でも印刷に支障は無いが（例えば特許文献１参照）、ノズル列を用紙の走行方向に複数列備えたオンデマンド型のインクジェットヘッド（例えば特許文献２参照）を用いる場合には、用紙の走行方向に並んだノズル列の吐出口面が平面であるため、ローラ表面に用紙が巻付いた状態ではノズル先端と紙面間距離が用紙の走行方向で変化してしまい、この場合、印刷の見当ズレ、歪み等、印刷上の問題が生じる。
【０００３】
また、複数のローラ間に、下側に平板状のガイド部材を沿わせ、あるいは用紙にテンションを作用させて巻掛けた用紙のローラ間において、この用紙の表面と平行に対向するようにしてインクジェットヘッドを配列したインクジェット記録装置が知られている（例えば特許文献３及び４）。
【特許文献１】米国特許第６，００３，９８８号明細書
【特許文献２】特開平１１−０３４３６０号公報
【特許文献３】特開平５−１２４２８４号公報
【特許文献４】特開２０００−１４１６１８号公報
【発明の開示】
【発明が解決しようとする課題】
【０００４】
上記した従来の技術の特許文献１及び２ではノズルヘッドが用紙の走行方向に幅がある場合に印刷上に問題がある。
また、特許文献３及び４で示されたところの、インクジェットヘッドをローラ間において用紙の表面と平行にして配置した装置では、各インクジェットヘッドはローラとローラの間の用紙に平行に対向させているため、オンデマンド型でノズル列を用紙の走行方向に複数列配列したインクジェットヘッドを用いてもローラの巻き角に影響されることなく印字を行うことができるが、用紙を巻付き案内するローラのローラ間距離が長い場合には、このローラ間における用紙のバタツキを完全になくすことができず、高速走行時の場合や、速度変動が生じたときに、このローラ間において用紙にバタツキが発生してしまい、この種のインクジェットヘッドにおける印字に乱れが生じてしまい精度のよい印刷を行うことができないことがある。
【０００５】
本発明は上記したことに鑑みなされたもので、ローラ間距離の長短に関係なく用紙にバタツキのない状態で印刷でき、用紙の走行方向に複数列のノズル列を備えたインクジェットヘッドにて高精度の印刷を行うようにしたインクジェット記録装置を提供しようとするものである。
【課題を解決するための手段】
【０００６】
上記目的を達成するために、本発明に係るインクジェット記録装置は、複数のガイドローラに所定の張力を有してアーチ状に案内される用紙にインクジェットヘッドにて印刷するようにしたインクジェット記録装置において、上記インクジェットヘッドに、複数のノズル列を用紙の走行方向に所定の幅内に並べてなるオンデマンド型のインクジェットヘッドを用い、このインクジェットヘッドを、これのインクノズルがガイドローラに巻付き接触する用紙のガイドローラに巻付き接触する直前あるいは直後の少なくとも一方の直線状走行面に対向するようにして配置した構成になっている。そして上記インクジェットヘッドのインクノズルの幅方向の一端を、ガイドローラに対する用紙の巻付き開始点あるいは巻付き終了点に位置させた。
【発明の効果】
【０００７】
本発明によれば、複数のノズル列を用紙の走行方向に所定の幅内に並べてなるオンデマンド型のインクジェットヘッドを用いたインクジェット記録装置において、インクジェットヘッドによる印刷をガイドローラに巻付き接触する直前あるいは直後の用紙の走行によるバタツキが生じない部分で行うことができ、高速印刷時の印刷精度を向上することができる。
【発明を実施するための最良の形態】
【０００８】
図中１は複数個（例えば２個）のインクジェットヘッド２，２にて、複数個（例えば２個）のガイドローラ３，３に所定の張力を有してアーチ状に巻付けられた用紙４に、このインクジェットヘッド２の数分の印字を行うようにしたインクジェット記録装置である。上記各インクジェットヘッド２は用紙４の幅方向に多数のインクノズルを配置してなるノズル列を用紙４の走行方向に複数並べて用紙４の走行方向にＷの幅を有するノズル２ａを備えたオンデマンド型のものが用いられる。
【０００９】
上記用紙４は各ガイドローラ３に巻付角θにて巻付けられ、この巻付角θの両側でガイドローラ４から離れて上流側あるいは下流側のガイドローラに向けて直線状に走行される。そして上記インクジェットヘッド２，２は、これのインクノズル２ａの幅方向一端がガイドローラの巻付角θの端である巻付き終了点、あるいは巻付き開始点と一致させ、この位置から他のガイドローラに向けて直線に走行する用紙４に所定の対向間隔をあけて平行に対向して配置されている。
【００１０】
図２、図３、図４は複数のガイドローラ３，３…に巻付けられる用紙４に対するインクジェットヘッド２，２…の配置例を示すもので、図２に示すものは、用紙４の走行方向において、インクジェットヘッド２をガイドローラ３の下流側に配置した例を、また、図３は各ガイドローラ３の上流側に配置した例を、さらに図４は図１に示したものと同様に、２個のインクジェットヘッド２，２を隣接するガイドローラ３，３の内側に配置した例をそれぞれ示す。
【００１１】
なおこれらの例では示さないが、最上流側のガイドローラの上流側、及び最下流側のガイドローラの下流側にもそれぞれの巻付角の端にノズル２ａの一端を一致させて配置してもよいことはいうまでもない。
【００１２】
上記構成において、複数のガイドローラ３に所定の張力を有してアーチ状に案内される用紙４に対する複数のインクジェットヘッド２のそれぞれによる印刷は、用紙４がガイドローラ３に巻付き接触する部分の直前あるいは直後の部分にて行われる。従って各インクジェットヘッド２による印刷はガイドローラ３の巻付きによる拘束力が強い部分に行われ、用紙４が殆どバタツキが生じない部分で印刷される。
【図面の簡単な説明】
【００１３】
【図１】本発明の実施の形態を示す概略的な構成説明図である。
【図２】本発明の異なる実施の態様を示す概略的な構成説明図である。
【図３】本発明の異なる実施の態様を示す概略的な構成説明図である。
【図４】本発明の異なる実施の態様を示す概略的な構成説明図である。
【符号の説明】
【００１４】
１…インクジェット記録装置
２…インクジェットヘッド
２ａ…インクノズル
３…ガイドローラ
４…用紙。
【図１】
2005035209.tif 000003
【図２】
2005035209.tif 000004
【図３】
2005035209.tif 000005
【図４】
2005035209.tif 000006